【手続補正書】
【提出日】平成31年4月16日(2019.4.16)
【手続補正１】
【補正対象書類名】特許請求の範囲
【補正対象項目名】全文
【補正方法】変更
【補正の内容】
【特許請求の範囲】
【請求項１】
記録装置に供給される複数の記録液のそれぞれの残量に関する情報を取得する取得手段と、
前記取得手段で取得した情報に基づいて、前記複数の記録液のそれぞれについて、残量が所定量以下となる通知対象の記録液であるか否かを判定する判定手段と、
前記判定手段で判定された前記通知対象の記録液が複数存在するときに、前記複数の通知対象の記録液のうち、所定の条件を満たす所定の記録液について、前記残量に関する情報を通知する通知手段と
を有し、
前記所定量は、第１の所定量と、前記第１の所定量よりも多い第２の所定量とを含み、
前記判定手段は、前記複数の記録液のそれぞれについて、前記第１の所定量以下の第１の通知対象の記録液であるか否かを判定し、かつ、前記第２の所定量以下の第２の通知対象の記録液であるか否かを判定し、
前記通知手段は、前記判定手段で判定された前記第１の通知対象の記録液が複数存在するときに、前記複数の第１の通知対象の記録液のうち、前記所定の条件を満たす所定の記録液について、優先して前記残量に関する情報の通知を行い、前記判定手段で判定された前記第２の通知対象の記録液が複数存在するときに、前記複数の第２の通知対象の記録液のうち、前記所定の条件を満たす所定の記録液について、優先して前記残量に関する情報の通知を行う
ことを特徴とする通知装置。
【請求項２】
前記通知手段は、前記複数の通知対象の記録液のうち、前記所定の条件を満たす１つの記録液について前記残量に関する情報を通知する請求項１に記載の通知装置。
【請求項３】
前記所定の条件では、前記複数の通知対象の記録液のうち、残量が少ないものを優先させる請求項１または２に記載の通知装置。
【請求項４】
前記所定の条件では、前記複数の通知対象の記録液のうち、使用量または使用頻度が多いものを優先させる請求項１または２に通知装置。
【請求項５】
前記所定の条件では、前記複数の通知対象の記録液のうち、明度が高いものを優先させる請求項１または２に記載の通知装置。
【請求項６】
前記所定の条件では、前記複数の通知対象の記録液のうち、明度差が所定値以上となる組み合わせの記録液のうちの１つを優先させる請求項１または２に記載の通知装置。
【請求項７】
前記所定の条件では、前記複数の通知対象の記録液のうち、色系統が異なるものの組み合わせの記録液のうちの１つを優先させる請求項１または２に記載の通知装置。
【請求項８】
前記通知手段は、前記複数の通知対象の記録液のうち、同じ色系統の記録液が複数存在する際には、同じ色系統の複数の記録液について同時に前記残量に関する情報を通知する請求項１に記載の通知装置。
【請求項９】
前記判定手段で、前記第１の通知対象の記録液と前記第２の通知対象の記録液とが存在すると判定されると、前記第１の通知対象の記録液について前記残量に関する情報の通知を行い、前記第２の通知対象の記録液について同様のタイミングで前記残量に関する情報の通知を行わない請求項１から８のいずれか１項に記載の通知装置。
【請求項１０】
記録液の補充が完了したことを検知する検知手段をさらに有し、
前記通知手段は、前記検知手段で補充が完了したことを検知した後に、前記所定の条件を満たす他の記録液について前記残量に関する情報を通知する請求項２から９のいずれか１項に記載の通知装置。
【請求項１１】
情報を表示可能な表示パネルをさらに有し、
前記残量に関する情報は、残量が所定量以下になった記録液を補充する必要があることを前記表示パネルに表示させるための表示指示である請求項１から１０のいずれか１項に記載の通知装置。
【請求項１２】
情報を表示可能な表示パネルをさらに有し、
前記残量に関する情報は、残量が所定量以下になった複数の記録液について、記録液を補充する順番を前記表示パネルに表示させるための表示指示である請求項１から１１のいすれか１項に記載の通知装置。
【請求項１３】
情報を表示可能な表示パネルをさらに有し、
前記複数の通知対象の記録液のうちの前記所定の記録液について前記残量に関する情報を通知する第１の通知と、前記複数の通知対象の記録液のすべてについて前記残量に関する情報を通知する第２の通知と、のどちらの通知を行うのかを、前記表示パネルで選択可能である請求項１から１２のいずれか１項に記載の通知装置。
【請求項１４】
前記複数の通知対象の記録液のすべての補充が完了すると、回復動作を実行する制御手段をさらに備える請求項１から１３のいずれか１項に記載の通知装置。
【請求項１５】
記録液は、収容部にそれぞれ独立して貯留され、前記収容部は、各記録液がそれぞれ貯留されたタンクが着脱可能であって、前記タンクを交換することで記録液を補充する請求項１から１４のいずれか１項に記載の通知装置。
【請求項１６】
記録液は、収容部にそれぞれ独立して貯留され、前記収容部は、各記録液を貯留するタンクが連設され、前記タンクに記録液を注入することで記録液を補充する請求項１から１４のいずれか１項に記載の通知装置。
【請求項１７】
前記収容部は、前記タンクに記録液を補充する注入口に遮蔽部材または封止部材が備えられ、
前記遮蔽部材および前記封止部材は、前記残量に関する情報が通知された記録液を貯留する前記タンクの前記注入口のみ、遮蔽状態あるいは封止状態を解除する請求項１６に記載の通知装置。
【請求項１８】
記録媒体に対して記録液を付与して記録を行う記録装置において、
請求項１から１７のいずれか１項に記載の通知装置を備えることを特徴とする記録装置。
【手続補正２】
【補正対象書類名】明細書
【補正対象項目名】発明の名称
【補正方法】変更
【補正の内容】
【発明の名称】通知装置および記録装置
【手続補正３】
【補正対象書類名】明細書
【補正対象項目名】０００１
【補正方法】変更
【補正の内容】
【０００１】
本発明は、複数あるインクなどの記録液の入れ間違いによる補充ミス（誤補充）を抑制するための通知装置および記録装置に関する。
【手続補正４】
【補正対象書類名】明細書
【補正対象項目名】０００５
【補正方法】変更
【補正の内容】
【０００５】
本発明は、コスト高を招来することなく、ユーザーによる記録液の補充ミスの発生を抑制することが可能な通知装置および記録装置を提供することを目的とする。
【手続補正５】
【補正対象書類名】明細書
【補正対象項目名】０００６
【補正方法】変更
【補正の内容】
【０００６】
上記課題を解決するために、本発明による通知装置は、記録装置に供給される複数の記録液のそれぞれの残量に関する情報を取得する取得手段と、前記取得手段で取得した情報に基づいて、前記複数の記録液のそれぞれについて、残量が所定量以下となる通知対象の記録液であるか否かを判定する判定手段と、前記判定手段で判定された前記通知対象の記録液が複数存在するときに、前記複数の通知対象の記録液のうち、所定の条件を満たす所定の記録液について、前記残量に関する情報を通知する通知手段とを有し、前記所定量は、第１の所定量と、前記第１の所定量よりも多い第２の所定量とを含み、前記判定手段は、前記複数の記録液のそれぞれについて、前記第１の所定量以下の第１の通知対象の記録液であるか否かを判定し、かつ、前記第２の所定量以下の第２の通知対象の記録液であるか否かを判定し、前記通知手段は、前記判定手段で判定された前記第１の通知対象の記録液が複数存在するときに、前記複数の第１の通知対象の記録液のうち、前記所定の条件を満たす所定の記録液について、優先して前記残量に関する情報の通知を行い、前記判定手段で判定された前記第２の通知対象の記録液が複数存在するときに、前記複数の第２の通知対象の記録液のうち、前記所定の条件を満たす所定の記録液について、優先して前記残量に関する情報の通知を行うことを特徴とする。
【手続補正６】
【補正対象書類名】明細書
【補正対象項目名】０００９
【補正方法】変更
【補正の内容】
【０００９】
以下、添付の図面を参照しながら、本発明による通知装置および記録装置の一例を詳細に説明するものとする。